(57)【要約】      （修正有）【課題】コンパクトなサイズで独創的な高い意匠性を有する造花を提供する。【解決手段】周方向に複数の花弁が形成された花シートが複数枚重ねられ、碗状に形成された萼部材により複数枚の花シートの中央部が保持され、複数の花弁により所定大きさの花冠が形成された第一花弁部材と、少なくとも一枚の花シートが四つ折りされ、複数の花弁により、第一花弁部材の花冠よりも小さい花冠が形成された第二花弁部材と、所定形状を有する板状のベースプレートとを備える。ベースプレートの一面に、一または複数の第一花弁部材が配置されると共に、配置された第一花弁部材による輪郭と所定形状の輪郭との間に生じる空隙に、第二花弁部材が配置され、所定形状の花冠が形成されている。【選択図】図１
0003160085.tif 000002
【実用新案登録請求の範囲】
【請求項１】
周方向に複数の花弁が形成された花シートが複数枚重ねられ、碗状に形成された萼部材により前記複数枚の花シートの中央部が保持され、複数の花弁により所定大きさの花冠が形成された第一花弁部材と、
少なくとも一枚の前記花シートが四つ折りされ、複数の花弁により、前記第一花弁部材の花冠よりも小さい花冠が形成された第二花弁部材と、
所定形状を有する板状のベースプレートとを備え、
前記ベースプレートの一面に、一または複数の前記第一花弁部材が配置されると共に、配置された前記第一花弁部材による輪郭と前記所定形状の輪郭との間に生じる空隙に、前記第二花弁部材が配置され、前記所定形状の花冠が形成されていることを特徴とする造花。
【請求項２】
前記花冠は、更に裁断加工により前記所定形状に整えられていることを特徴とする請求項１に記載された造花。
【請求項３】
前記ベースプレートの他面は、少なくとも一層以上に配置された一または複数の前記花シートにより覆われることを特徴とする請求項１または請求項２に記載された造花。
【請求項４】
前記第一花弁部材は、前記萼部材の下方に突出するピン部材を有し、
前記ベースプレートの一面には、前記ピン部材が挿入可能な孔が設けられ、
前記第一花弁部材のピン部材は、前記ベースプレートに設けられた前記孔に挿着されていることを特徴とする請求項１乃至請求項３のいずれかに記載された造花。
【請求項５】
前記所定形状は、ハート型、又は星型であることを特徴とする請求項１乃至請求項４のいずれかに記載された造花。
【考案の詳細な説明】
【技術分野】
【０００１】
本考案は、本発明は、独創的な意匠を有する造花に関する。
【背景技術】
【０００２】
生花とは異なり枯れることが無い造花は、部屋のインテリア装飾として、或いは胸章等の装飾品として多く利用されている。
例えば、特許文献１には、複数の造花を細長状に連結し、バスケット容器等に取り付ける装飾用の造花連結体が開示されている。
【先行技術文献】
【特許文献】
【０００３】
【特許文献１】特開平１０−４６４１６号公報
【考案の概要】
【考案が解決しようとする課題】
【０００４】
前記のように造花を装飾品として利用する場合、従来は特許文献１のように複数の造花を細長状に連結する等の方法により独創的な意匠表現がなされていた。
即ち、花の種類によって花冠の形状は略決まっているため、独創的な意匠表現を行うには、複数の花を用いた大掛かりものとなっていた。
言い換えれば、胸章等に適したコンパクトなサイズで独創的な意匠表現を行うことが困難という課題があった。
【０００５】
本発明は、前記した点に着目してなされたものであり、コンパクトなサイズで独創的な高い意匠性を有する造花を提供することを目的とする。
【課題を解決するための手段】
【０００６】
前記目的を達成するため、本考案に係る造花は、周方向に複数の花弁が形成された花シートが複数枚重ねられ、碗状に形成された萼部材により前記複数枚の花シートの中央部が保持され、複数の花弁により所定大きさの花冠が形成された第一花弁部材と、少なくとも一枚の前記花シートが四つ折りされ、複数の花弁により、前記第一花弁部材の花冠よりも小さい花冠が形成された第二花弁部材と、所定形状を有する板状のベースプレートとを備え、前記ベースプレートの一面に、一または複数の前記第一花弁部材が配置されると共に、配置された前記第一花弁部材による輪郭と前記所定形状の輪郭との間に生じる空隙に、前記第二花弁部材が配置され、前記所定形状の花冠が形成されていることに特徴を有する。尚、前記花冠は、更に裁断加工により前記所定形状に整えられていることが好ましい。
【０００７】
これにより、コンパクトサイズの所定形状の花冠を容易に形成することができ、独創的で高い意匠性を有する造花を得ることができる。
また、この構成により、造花の厚さを全体的に平坦とすることができ、胸章等に好適に用いることができる。
【０００８】
また、前記ベースプレートの他面は、少なくとも一層以上に配置された一または複数の前記花シートにより覆われることが望ましい。
このように構成することにより、ベースプレートの両面を花弁で覆い隠すことができる。
【０００９】
また、前記第一花弁部材は、前記萼部材の下方に突出するピン部材を有し、前記ベースプレートの一面には、前記ピン部材が挿入可能な孔が設けられ、前記第一花弁部材のピン部材は、前記ベースプレートに設けられた前記孔に挿着されていることが望ましい。
このように構成することにより、容易且つ正確な位置へ第一花弁部材を取り付けることができる。
【考案の効果】
【００１０】
本考案によれば、コンパクトなサイズで独創的な高い意匠性を有する造花を得ることができる。
【図面の簡単な説明】
【００１１】
【図１】図１は、本考案に係る造花の正面図である。
【図２】図２は、図１の造花の側面図である。
【図３】図３は、図１の造花の使用例を示す正面図である。
【図４】図４は、図１の造花の構成部材の一つである花シートの平面図である。
【図５】図５は、図１の造花の構成部材の一つである第一花弁部材の側面図である。
【図６】図６は、図１の造花の構成部材の一つである第二花弁部材の側面図である。
【図７】図７は、図５の第一花弁部材の構成を示す斜視図である。
【図８】図８は、図１の造花の構成部材の一つであるベースプレートの平面図である。
【図９】図９は、図１の造花の作製段階の状態を示す平面図である。
【図１０】図１０は、図１の造花の作製段階の状態を示す平面図である。
【図１１】図１１は、図１の造花の作製に用いるフレームの平面図である。
【図１２】図１２は、図１の造花の作製段階の状態を示す平面図である。
【考案を実施するための形態】
【００１２】
以下、本考案の実施の形態を図面に基づき説明する。図１は本考案に係る造花の全体を示す正面図である。また、図２は図１の造花の側面図である。尚、本実施形態にあっては、造花の種類をカーネーションとする。
図１に示す造花１は、花冠２がハート型に形成されている。また、図２に示すように、全体的に厚さが平坦に形成されている。このため、図３のように造花１の裏面にリボン２０等を取り付ければ、胸章等に好適に用いることができる。
【００１３】
以下、この造花１の作製方法を具体的に説明する。図１、図２に示すように花冠２は複数の花弁２ａの集合体により構成される。また、花冠２を構成する複数の花弁２ａは、図４に示す花シート１０を複数枚用いることにより形成される。
各花シート１０は、例えば絹布を型抜きで裁断することにより容易に得ることができる。花シート１０の裁断形状（抜き型）は、花の種類によって異なる形状となり得るが、本実施形態では、図４に示すように全体が円形となされる。
また、その縁部２ｂはノコギリ歯状に裁断され、径方向（中心部）に向かって複数の切り込み２ｃが形成される。この切り込み２ｃにより、１枚の花シート１０には、周方向に複数枚の花弁２ａが形成される。また、花シート１０の中心部には、小さい孔２ｄが形成されている。
【００１４】
造花１を作製する際には、複数枚の花シート１０を用い、先ず、図５に示すように小さい花冠を有する第一花弁部材３と、図６に示すように更に小さい花冠を有する第二花弁部材４とを用意する。尚、図６の第二花弁部材４は、２枚の花シート１０を重ねて、更に４つ折りにしたものである。
【００１５】
ここで、図５に示す第一花弁部材３の構成について詳しく説明すると、この第一花弁部材３は、図７に示すように複数（図では全６枚）の花シート１０と、ピン部材１１と、第一萼部材１２と、第二萼部材１３とにより構成される。
ピン部材１１は、例えば透明樹脂により形成され、直棒状の軸部１１ａとその上端に設けられた鍔部１１ｂとを有する。軸部１１ａの直径は、花シート１０の孔２ｄに挿通可能な大きさに形成され、鍔部１１ｂの直径は、前記孔２ｄの径より大きく、孔２ｄに係止可能に形成されている。
【００１６】
また、第一萼部材１２は、花シート１０と同色の碗状体であり、その上部に周方向に沿って複数の萼片１２ａが内側上方に向けて立設されている。また、その底部中央には、ピン部材１１の軸部１１ａが貫挿可能、且つ鍔部１１ｂが係止可能な孔１２ｂが形成されている。
また、第二萼部材１３は、前記第一萼部材１２よりも大きく、花シート１０と同色に形成され、周方向に沿って複数の萼片１３ａが外側上方に向けて立設されることにより、碗状体を形成している。また、その底部中央には、ピン部材１１の軸部１１ａが貫挿可能な孔１３ｂが形成されている。
【００１７】
また、図７に各部材の配置関係を示すように、最上部には一枚の花シート１０が配され、その下には、前記一枚の花シート１０を保持するために第一萼部材１２が配置される。
また、第一萼部材１２の下には、五枚の花シート１０が中心位置を合わせて重ねられ、その下に、それら五枚の花シートを保持するために第二萼部材１３が配置される。
【００１８】
これらを組む場合、最上部の花シート１０の中心（孔２ｄ）から最下部の第二萼部材１３の中心（孔１３ｂ）に向けてピン部材１１の軸部１１ａを挿入する。
その際、第一萼部材１２に一枚の花シート１０の中央部が押し込まれる。これにより、花シート１０の花弁２ａは、第一萼部材１２の萼片１２ａによって略直立した状態に保持される。この第一萼部材１２に保持される花シート１０の花弁２ａは、花冠２の中央部を構成する。
また、第二萼部材１３には、５枚に重ねた花シート１０の中央部が押し込まれる。これにより、５枚の花シート１０による複数の花弁２ａは、前記第一萼部材１２によって保持された花弁２ａの周りに一様に生えた状態となるように、第二萼部材１３の萼片１３ａによって保持される。
【００１９】
尚、ピン部材１１の軸部１１ａは、鍔部１１ｂが最上部の花シート１０中央に係止するまで挿入される。ピン部材１１が完全に挿入されると、その軸部１１ａの先端部分は、図５に示すように第二萼部材１３に形成された孔１３ａから下方に突出する状態となされる。
また、各部材を重ねて組み立てる前に、予め、第一萼部材１２、第二萼部材１３の内側、及び各花シート１０の孔２ｄの周縁部に接着剤を塗布しておくことにより、第一萼部材１２、第二萼部材１３にそれぞれ花シート１０を確実に保持させることができる。
【００２０】
前記のようにして三輪の第一花弁部材３、及び四輪の第二花弁部材４を作製し用意すると、次に、図８に示すようにハート型の板状に形成されたベースプレート２１を一枚用意する。
このベースプレート２１は、そのハート型の左右両側部分、及び下側部分の大きさが、それぞれ前記第一花弁部材３の花冠の大きさよりも小さく形成されている。また、図示するように、前記ハート型の左右両側部分、及び下側部分には、それぞれ所定深さを有する、或いは貫通した孔２２が設けられている。これら３つの孔２２には、それぞれ第一花弁部材３の第二萼部材１３から下方に突出するピン部材１１の軸部１１ａが挿着される。即ち、図９に示すようにハート型の左右両側部分、及び下側部分に、それぞれ前記第一花弁部材３（の花冠）が配置される。
【００２１】
更に、ベースプレート２１上に配置された三輪の第一花弁部材３による輪郭と、完成形とするハート型の輪郭（図９に二点鎖線で示す）との間に生じる空隙、即ち、図９に示すハート型の下端部５ａと、左右側部５ｂ、５ｃと、上部中央５ｄの位置に、それぞれ第二花弁部材４が配置される。
これにより、図１０に示すように全体的に立体感が生じ、ボリュームあるハート型の花冠２が得られる。
【００２２】
更に、ハート型の形状を整えるため、図１０に示す花冠２を、図１１に示すように針金で形成されたハート型のフレーム１５の中に嵌め込む。
そして、花冠２においてフレーム１５からはみ出た部分を裁断（即ちフレーム１５に沿って裁断）することによって、綺麗なハート型の花冠２が形成される。
【００２３】
更に、図１２に示すように花冠２を裏返して、ベースプレート２１の裏面に設けられた三カ所のマーキング２３の位置、即ちハート型の左右両側、及び下側部分に、それぞれ一枚の花シート１０を貼り付ける。
これにより裏面に露出したベースプレート２１が少なくとも一層の花シート１０により覆われ、図１、図２に示すハート型の造花１を得ることができる。
【００２４】
以上のように本実施の形態によれば、ハート型のベースプレート２１の左右両側部分、及び下側部分に、第一花弁部材３がそれぞれ配置され、更に、配置された三つの第一花弁部材３による輪郭と、ハート型の輪郭との間に生じる複数の空隙に第二花弁部材４がそれぞれ配置される。
これにより、コンパクトサイズのハート型の花冠２を容易に形成することができ、独創的で高い意匠性を有する造花１を得ることができる。
また、この構成により、造花１の厚さを全体的に平坦とすることができ、胸章等に好適に用いることができる。
【００２５】
尚、前記実施の形態においては、本考案に係る造花をカーネーションとしたが、本考案にあっては、それに限定されるものではない。即ち、花シート１０の裁断形状によって、様々な造花１を得ることができる。
また、前記実施の形態においては、ベースプレート２１の形状をハート型とし、ハート型の花冠２を形成するものとしたが、本考案にあっては、それに限定されるものではない。即ち、ベースプレート２１の形状は、他の形状、例えば星型であってもよい。その場合、星型のベースプレート２１に一輪または複数輪の第一花弁部材３を配置し、第一花弁部材３による輪郭と星型の輪郭との間に生じる空隙に第二花弁部材４を配置することにより星型の花冠を得ることができる。
【符号の説明】
【００２６】
１          造花
２          花冠
２ａ        花弁
２ｄ        孔
３          第一花弁部材
４          第二花弁部材
１０        花シート
１１        ピン部材
１１ａ      軸部
１１ｂ      鍔部
１２        第一萼部材
１３        第二萼部材
１５        フレーム
２０        リボン
２１        ベースプレート
【図１】
0003160085.tif 000003
【図２】
0003160085.tif 000004
【図３】
0003160085.tif 000005
【図４】
0003160085.tif 000006
【図５】
0003160085.tif 000007
【図６】
0003160085.tif 000008
【図７】
0003160085.tif 000009
【図８】
0003160085.tif 000010
【図９】
0003160085.tif 000011
【図１０】
0003160085.tif 000012
【図１１】
0003160085.tif 000013
【図１２】
0003160085.tif 000014